(57)【特許請求の範囲】
【請求項１】
上端の所要部位が開放されて開放部が形成されてなる容器本体の上端縁部分に、垂直面内で倒れた倒状態と垂直面内で起立した起立状態との間で回動可能となるように取っ手が取り付けられており、該取っ手には、容積の異なる複数の計量容器が設けられており、各計量容器は、該取っ手が前記倒状態において、開口が上方に開放状態となり得ると共に、該取っ手を前記起立状態とすることにより、各計量容器に収容した原液を前記開口から前記容器本体内に放出させ得るようになされていることを特徴とする希釈用容器。
【請求項２】
前記容器本体が透明乃至半透明に形成されると共にその周壁部に、所要希釈倍率の希釈液を得るに必要な水の収容量を示す目印が付されており、前記複数の計量容器の容積は、該容器本体に収容する水の量との対比で複数の所要希釈倍率が得られるように設定されていることを特徴とする請求項１記載の希釈用容器。
【請求項３】
前記容器本体が透明乃至半透明に形成されると共にその周壁部に、該容器本体内の水の収容量が５リットルであることを示す目印が付されており、前記取っ手には、小容積の計量容器と中容積の計量容器と大容積の計量容器の、容積の異なる３種類の計量容器が設けられ、該小容積の計量容器の容積が２．５ｃｃに設定され、中容積の計量容器の容積が５ｃｃに設定され、大容積の計量容器の容積が１０ｃｃに設定されていることを特徴とする請求項１又は２記載の希釈用容器。
【請求項４】
前記計量容器の夫々に関して、該計量容器やその近辺に、前記容器本体に収容する水の量との対比による希釈倍率値を示す数字が付されていることを特徴とする請求項１、２又は３記載の希釈用容器。
【請求項５】
前記取っ手の長さ方向の中央部分は、所要間隔を置いて対向する外縁部分と内縁部分とを具えた環状を呈しており、該環状部の挿通孔に指を挿入して前記外縁部分を手で握ることによって該取っ手を把持可能となされており、前記内縁部分に前記計量容器が設けられていることを特徴とする請求項１〜４の何れかに記載の希釈用容器。
【請求項６】
前記取っ手が前記倒状態で見て、前記内縁部分に、前記開放部に向けて水平に突出するアームの基端が連結されると共に、該アームの先端が前記計量容器に連結されており、この状態で、該計量容器の開口が上方に開放状態となることを特徴とする請求項５記載の希釈用容器。
【発明の詳細な説明】
【技術分野】
【０００１】
本発明は、液状肥料や液状除草剤、液状農薬等の原液を所定の濃度に簡易且つ確実に希釈し得る希釈用容器に関するものである。
【背景技術】
【０００２】
例えば液状肥料や液状除草剤、液状農薬の原液を水で一定の濃度に希釈して所要の希釈液を調整する際しては、従来一般に、これらの原液を収容するボトルの蓋や別途の軽量カップを用い、これらに所定量の原液を収容し、これを容器に注いで所定量の水で希釈することを要した。これらの希釈作業を熟練者が行なう場合はそれほど問題にならないにしても、一般家庭で行なう場合は、馴れない作業であるために作業中に手や衣服等に原液がこれらを汚す恐れがあった他、原液の種類によっては手荒れを生じさせる等の恐れもあった。又、使用する原液の種類によって希釈濃度が異なるなど、希釈作業は非常に煩瑣なものであった。このようなことから、目分量によって希釈液を適当に調整することも行なわれていたが、希釈倍率が過剰或いは過少になり易く、かかる不適切な希釈液を植物に散布することは決して好ましいものではなかった。
【０００３】
このような問題点に鑑み、液状肥料等の原液を所定濃度に簡易且つ確実に希釈せんとして特許文献１記載の灌水用ポットが提案されている。この灌水用ポットａは、図８に示すように、水で希釈して用いる液状肥料等の原液を収容する原液計量カップｂを、ポット本体ｃの上蓋ｄの下面ｅに添い、該上蓋ｄに形成した注水用の開口部ｆに対して出没自在に設けていた。そして該原液計量カップｂは、図８〜１０に示すように、前記上蓋ｄの下面側において該下面ｅに沿ってスライドし得る軸棒ｇの先端に取り付けられていた。
【０００４】
該軸棒ｇは、該下面ｅに設けた保持筒ｈに挿通されており、該保持筒ｈに対して該軸棒ｇを図８〜９に示す右方向にＦ１スライドさせることによって、前記原液計量カップｂが前記上蓋ｄの開口部ｆに現れるようになされており、この状態から、前記軸棒ｇを前記保持筒ｈに対して左方向Ｆ２にスライドさせることによって、図１０に示すように、前記原液計量カップｂが上蓋ｄの下面ｅに格納され前記開口部ｆに対して没するようになされていた。
【０００５】
そして、前記原液計量カップｂが前記開口部ｆに位置した状態で前記軸棒ｇがその軸線回りに回動することにより、該原液計量カップｂに入れた原液をポット本体ｃ内に放出し得るようになされており、該ポット本体ｃ内に放出した原液を所定量の水で希釈して所定希釈倍率の希釈液を得ることができるように構成されていた。そして前記ポット本体ｃは、前記原液計量カップｂの容量に対して所定の希釈倍率となる容量に設定されており、該ポット本体ｃの周壁部の外面ｊには、図８に示すように、該原液計量カップｂの容量に対する１０００倍の容量の部位と２０００倍の容量の部位に夫々、１０００ｃｃ、２０００ｃｃの目印ｋ１，ｋ２が刻設されていた。
【０００６】
かかる構成を有する灌水用ポットａを用いて例えば１０００倍の希釈液肥を調整する場合は、前記原液計量カップｂを前記上蓋ｄの下面ｅに格納した状態で前記ポット本体ｃ内に、１０００倍の目印ｋ１まで１０００ｃｃの水を収容して後、図８〜９に示すように原液計量カップｂを前記開口部ｆまで引き出してその中に液肥の原液を略一杯となるように収容する。その後、この原液計量カップｂを回動させてカップ内の原液をポット本体ｃの水に注ぎ、原液と水とを均一に混合する。又、２０００倍の希釈液肥を調整する場合は、前記ポット本体ｃ内に２０００倍の目印ｋ２まで２０００ｃｃの水を収容して後、原液計量カップｂを回動させてカップ内の原液をポット本体ｃ内の水に注ぎ、原液と水とを均一に混合して行なう。なお、原液計量カップｂ内の原液をポット本体ｃ内に注いで後に該ポット本体ｃ内に水を注いでもよい、とされている。
【０００７】
しかしながら、かかる構成を有する灌水用ポットａには次のような問題点があった。即ち、かかる灌水用ポットａによるときは、原液計量カップｂを前記開口部ｆに引き出してその中に液肥等の原液を略一杯となるように注入し該原液計量カップｂを回動させてカップ内の原液をポット本体ｃ内に注ぐ際、前記軸棒ｇをその軸線回りに回動させて行なわなければならなかったのであるが、該カップの引出し操作や該軸棒の回動操作は、指先で行なうものと解される。そのため、これらの操作には面倒さが伴ったばかりか、該回動操作の際に原液が手や衣服に付着して手等を汚す恐れがあった。又、手に付着したときは、原液の種類によっては手荒れを生じさせる等の恐れもあった。
【０００８】
そして該灌水用ポットａは、ポット本体ｃに入れる水の量を変えることによって希釈倍率を変える方式であったため、原液を１０００倍に希釈する場合は前記のように１０００倍の目印ｋ１まで水を注入する一方、原液を２０００倍に希釈する場合は前記のように２０００倍の目印ｋ２まで水を注入し、これに原液計量カップ内の原液を注ぐこととしていた。このように前記灌水用ポットａは、ポット本体ｃに入れる水の量に応じて希釈倍率を設定していたため、得られる希釈液の量が希釈倍率によって大幅に異なった。そのため、１０００倍の希釈液肥を例えば２０００ｃｃ必要とするときは、１０００ｃｃ分を植物に散布した後で、再び、１０００倍の希釈液肥を同様の作業工程を経て調整しなければならないことになり、希釈作業が煩瑣となる問題があった。
【先行技術文献】
【特許文献】
【０００９】
【特許文献１】実用新案登録第３０３９７８１号公報
【発明の概要】
【発明が解決しようとする課題】
【００１０】
本発明は前記従来の問題点に鑑みて開発されたものであり、液状肥料や液状除草剤、液状農薬等の原液を所定の濃度に簡易且つ確実に希釈し得る希釈用容器の提供を課題とするものである。
【課題を解決するための手段】
【００１１】
前記課題を解決するため本発明は以下の手段を採用する。
即ち本発明に係る希釈用容器は、上端が開放した容体本体の上端縁部分に、垂直面内で倒れた倒状態と垂直面内で起立した起立状態との間で回動可能となるように取っ手が取り付けられており、該取っ手には、容積の異なる複数の計量容器が設けられており、各計量容器は、該取っ手が前記倒状態において、上端が開口した状態となり得ると共に、該取っ手を前記起立状態とすることによって、各計量容器に収容した原液を前記開口から前記容器本体内に放出させ得るようになされていることを特徴とするものである。
【００１２】
該希釈用容器において、前記容器本体を透明乃至半透明に形成すると共にその周壁部に、所要希釈倍率の希釈液を得るに必要な水の収容量を示す目印を付し、前記複数の計量容器の容積を、該容器本体に収容する水の量との対比で複数の所要希釈倍率が得られるように設定するのがよい。
【００１３】
本発明に係る希釈用容器のより具体的な態様の一つとしては、前記容器本体が透明乃至半透明に形成されると共にその周壁部に、該容器本体内の水の収容量が５リットルであることを示す目印が付されており、前記取っ手には、小容積の計量容器と中容積の計量容器と大容積の計量容器の、容積の異なる３種類の計量容器が設けられている。そして、該小容積の計量容器の容積が２．５ｃｃに設定され、中容積の計量容器の容積が５ｃｃに設定され、大容積の計量容器の容積が１０ｃｃに設定されている。
【００１４】
前記の各希釈用容器において、前記計量容器の夫々に関し、該計量容器やその近辺に、前記容器本体に収容する水の量との対比による希釈倍率値を示す数字を付すのがよい。
【００１５】
前記各希釈用容器において、前記取っ手の長さ方向の中央部分は、所要間隔を置いて対向する外縁部分と内縁部分とを具えた環状を呈したものとし、該環状部の挿通孔に指を挿入して前記外縁部分を手で握ることによって該取っ手を把持可能となし、前記内縁部分に前記計量容器を設けるのがよい。
【００１６】
この場合、前記取っ手が前記倒状態で見て、前記内縁部分に、前記開放部に向けて水平に突出するアームの基端が連結されると共に、該アームの先端が前記計量容器に連結されたものとし、この状態で、該計量容器の開口が上方に開放状態となる如く構成するのがよい。
【発明の効果】
【００１７】
本発明は以下の如き優れた効果を奏する。
(1) 本発明によるときは、前記取っ手が倒状態において、所要容積の計量容器を選択し、これに液状肥料や液状除草剤、液状農薬等の原液を収容して後、該取っ手を起立状態とすることにより、自ずから、該計量容器に収容した原液を容器本体内に放出させることができる。そして、該放出された原液と容器本体内に収容した所定量の水とを均一に混合することにより、所定希釈倍率の希釈液を簡易且つ確実に調整できることとなる。
かかることから、使用する原液の種類によって希釈倍率が異なる希釈液を調整する場合であっても、液状肥料や液状除草剤、液状農薬等の原液の希釈倍率の設定が容易であり、煩わしい計算を要さず希釈作業を容易且つ正確に行なうことができる。又、取っ手を起立状態にしさえすれば計量容器内の原液を容器本体内に確実に放出できるため、この放出の際に原液が手や衣服等に付着してこれらを汚したり、原液が手に付着して手荒れを生じせるなどの恐れがない。
【００１８】
(2) 各計量容器やその近辺に、前記収容容器に収容する水の量との対比で希釈倍率値を示す数字を付しておくと、調整せんとする希釈倍率との関係で計量容器の選択が分かり易い。
【００１９】
(3) 特に、前記取っ手の長さ方向の中央部分に、所要間隔を置いて対向する外縁部分と内縁部分とを具えた環状部を設け、該環状部の内縁部分に前記計量容器を設ける場合は、該環状部の挿通孔に指を挿入して該外縁部分を手で握ることによって該取っ手を把持でき、然もこの把持は、各計量容器が邪魔になることなく楽に行なうことができる。
【図面の簡単な説明】
【００２０】
【図１】本発明に係る希釈用容器を、その取っ手が起立した状態で示す斜視図である。
【図２】その希釈用容器をその取っ手が倒状態で示す斜視図である。
【図３】容器本体と取っ手を分解して示す斜視図である。
【図４】取っ手が倒状態において選択した計量容器に原液を収容すると共に、容器本体に所定量の水を収容した状態を示す断面図である。
【図５】その取っ手を起立状態として計量容器内の原液を容器本体内に放出させている状態を示す断面図である。
【図６】取っ手の両端に設けた枢着突部を容器本体の上端縁部分の対向部位に設けた枢着孔部に押し込んだ状態を示す断面図である。
【図７】取っ手の環状部を手で把持した状態を示す斜視図である。
【図８】従来の灌水用ポットを示す斜視図である。
【図９】その原液計量カップをポット本体の上端の開放部に位置させた状態を示す断面図である。
【図１０】その原液計量カップをポット本体の上蓋の下面に格納した状態を示す断面図である。
【発明を実施するための形態】
【実施例１】
【００２１】
図１〜３において本発明に係る希釈用容器１は、上端２に開放部３が設けられてなる容器本体４の上端縁部分５の対向部位６，６に、垂直面内で倒れた倒状態Ａ（図２）と垂直面内で起立した起立状態Ｂ（図１）との間で回動可能な取っ手７の両端部分９，９が取り付けられている。本実施例において、該倒状態Ａは、必ずしも水平状態を意味せず、水平状態から多少下向きに傾斜した状態や多少上向きに傾斜した状態であってもよい。又、該起立状態Ｂは、必ずしも垂直状態を意味せず、前記取っ手７を前記倒状態Ａから起立させた時、その起立方向で見て、垂直状態よりも稍小さい角度状態を呈するものの他、垂直状態よりも稍大きい角度状態を呈するものであってもよい。
【００２２】
前記取っ手７には、図１〜５に示すように、容積の異なる複数の計量容器１０が設けられており、各計量容器１０は、該取っ手７が前記倒状態Ａにおいて、図２、図４に示すように、開口１１が上方に開放した状態となり得ると共に、該取っ手７を前記起立状態Ｂとすることによって、図５に示すように、各計量容器１０に収容した原液１２（図４）を前記開口１１から前記容器本体４内に矢印で示すように放出させ得るようになされている。  
【００２３】
前記容器本体４は図１に示すように、上端の所要部位（例えば中央部分）が例えば矩形状に開放されて開放部３が設けられ、平面視で前後方向に稍長い楕円形状を呈しており、透明乃至半透明の樹脂素材を以て形成されている。そして、その周壁部１４には、容器本体４内に貯留されている希釈液の残量値を表示する目印１５が付されている。該目印１５は、該周壁部１４の例えば外面１６に付されており、例えば図１に示すように、下から順番に１リットル、２リットル、３リットル、４リットル、５リットルを示す目印（目盛）１５が刻設や印刷等によって設けられている。本実施例において、この残量値の最大値を５リットルとしたのは、家庭菜園の場合は通常４〜６リットルの液肥が使用されていることを考慮し、且つ、希釈液入りの希釈用容器１を手で持ち運ぶ際にそれほど支障とならない重量であることを考慮してのものであり、最大で約５リットルの希釈液を調整できるようにするためである。そして、前記容器本体４は透明乃至半透明であるため、該容器本体４の周壁部１４を透かして、貯留されている希釈液の水面が見えるため、前記目印（目盛）１５によって希釈液の残量が分かる。
【００２４】
又、該容器本体４の前後方向で見た前端側の下部１７には、図１に示すように、斜め上方に向けて突出する導水管１８が連設されており該導水管１８の先端には、多数の散水孔１９を有する散水板２０が設けられてなる蓮の実部分２１が設けられている。
【００２５】
又、該容器本体４の上端縁部分５の対向部位（前後部分）６，６には、図３、図６に示すように、前記取っ手７の両端に設けた枢着突部２２，２２を押し込むための枢着孔部２３，２３が設けられている。然して、図６に示すように、該枢着突部２２，２２を該枢着孔部２３，２３に押し込むと、該枢着突部２２，２２は、該枢着孔部２３，２３に抜け止めされて取り付けられ、その軸線回りに回動できる。これによって前記取っ手７は、前記のように、垂直面内で倒れた前記倒状態Ａと垂直面内で起立した前記起立状態Ｂとの間で回動可能となる。なお前記とは逆に、前記枢着突部２２を前記上端縁部分５に設ける一方、前記枢着孔部２３を前記取っ手７の両端に設ける構成としてもよい。
【００２６】
前記取っ手７は、本実施例においては図１、図３に示すように、その起立状態Ｂにおいて倒Ｕ字状を呈しており、その長さ方向の略水平な中央部分２５には環状部２６が設けられている。該環状部２６は、所要間隔を置いて対向する外縁部分２７と内縁部分２９とを具え且つ該中央部分２５の長さ方向に延長する環状を呈しており、図７に示すように、親指を除く４本の指３０，３０，３０，３０を該環状部２６の挿通孔３１に挿入して前記外縁部分２７を手で握ると、前記取っ手７を手で把持して容器本体４を持ち運ぶことができる。そしてこの把持は、各計量容器１０，１０，１０が邪魔になることなく楽に行なうことができる。
【００２７】
本実施例においては、図１〜３に示すように前記容器本体４に入れた所定量（本実施例においては約５リットル）の水に対して３種類の希釈倍率の希釈液を調整できるように、前記環状部２６の前記内縁部分２９に、その長さ方向の両側部位と中央部位において、容積の異なる３種類の前記計量容器１０，１０，１０が設けられている。今、該内縁部分２９の一端側のものから順に、小容積の計量容器１０ａ、中容積の計量容器１０ｂ、大容積の計量容器１０ｃとする。本実施例においては図２に示すように、前記倒状態Ａで見て、前記内縁部分２９の長さ方向の両側部位と中央部位において、前記開放部３に向けて水平に突出するアーム３５，３５，３５の基端３６，３６，３６が連結されており、夫々のアーム３５の先端３７は、図２に示すように、前記計量容器１０ａ，１０ｂ，１０ｃの、例えば外側面３９の上端に連結されている。このようにアーム３５，３５，３５が水平に突出した状態で見て、前記の各計量容器１０ａ，１０ｂ，１０ｃは、本実施例においては、図２、図４に示すように前記開放部３に位置しており、その開口１１，１１，１１が上方に開放した状態を呈し、その収容部４０は図４に示すように、上端４１から下端４２に向けて稍縮径したテーパ状を呈している。
【００２８】
例えば、約５リットルの所要希釈倍率の希釈液肥を調整する場合は、前記容器本体４に収容した５リットルの水の量との対比で前記各計量容器１０ａ，１０ｂ，１０ｃの容積を設定する。例えば、前記小容積の計量容器１０ａの容積を２．５ｃｃに、前記中容積の計量容器１０ｂの容積を５ｃｃに、前記大容積の計量容器１０ｃの容積を１０ｃｃに設定する。今、図４に示すように前記取っ手７を倒状態Ａにして、前記選択した計量容器１０の前記収容部４０に略一杯の液肥等の原液を収容して後、図５に示すように前記取っ手７を起立状態Ｂにすると、該計量容器１０は、前記開放部３の上側に位置した状態となり且つその開口１１が横向きの状態となる。これによって、該計量容器１０内の原液を図５に矢印で示すように、自ずから容器本体４内に放出させることができる。この場合、放出をより円滑に行なわせるために、前記取っ手７を前記起立状態Ｂから稍行き過ぎた角度にまで回動させることもある。このようにして計量容器１０内の原液を前記容器本体４内に放出させることができることから、手や衣服を汚すことなく原液を容器本体４内に容易且つ確実に放出させることができる。その後、該容器本体４内に収容した約５リットルの貯留水３８と原液とを均一に混合すれば約５リットルの希釈液を得ることができる。この混合に先立って容器本体４内に水を収容するタイミングは、容器本体４内に原液を放出する前であっても後であってもよい。該容器本体４内に原液を放出した後に該容器本体４内に水を収容するとき、原液の種類によっては、少しずつ希釈しながら水を増していくこともある。
【００２９】
前記小容積の計量容器１０ａを選択した場合は、その容積が２．５ｃｃであるために約２０００倍に希釈された希釈液を調整できる。又、前記中容積の計量容器１０ｂを選択した場合は、その容積が５ｃｃであるために約１０００倍に希釈された希釈液を調整できる。又、前記大容積の計量容器１０ｃを選択した場合は、その容積が１０ｃｃであるために約５００倍に希釈された希釈液を調整できる。本実施例においては、前記容器本体４に前記導水管１８が設けられているため、容器本体４に希釈液が貯留されてなる前記希釈用容器１はじょうろとして利用でき、図７に示すように、前記取っ手７を握って所要場所に持ち運んで該容器本体４を傾けることより、前記蓮の実部分２１の散水板２０で希釈液をシャワー状に散水して植物に散布できる。
【００３０】
なお、前記各計量容器１０ａ，１０ｂ，１０ｃの外側面３９や前記アーム３５の表面等、該計量容器１０ａ，１０ｂ，１０ｃの近辺に、前記容器本体４に収容する水の量との対比で希釈倍率値を示す数字を記載しておくと、調整せんとする希釈倍率との関係で計量容器１０の選択が分かり易い。
【実施例２】
【００３１】
本発明は、前記実施例で示したものに限定されるものでは決してなく、「特許請求の範囲」の記載内で種々の設計変更が可能であることはいうまでもない。その一例を挙げれば次のようである。
【００３２】
(1) 本発明に係る希釈用容器１は、前記導水管１８が省略されることもある。この場合は、該希釈用容器１は液状肥料や液状除草剤、液状農薬等の原液を水で一定の濃度に希釈するためだけに用いられ、この希釈液は、例えばじょうろや噴霧器等に移し替られて使用される。
【００３３】
(2) 希釈される原液が液状除草剤や液状農薬である場合は、例えば５０倍、１００倍、２００倍等に希釈できるように容器本体４に収容する水の量や計量容器１０の容積が所要に設定される。
【００３４】
(3) 本発明において、使用する計量容器１０の個数は複数個であり、前記した３個の他、２個や４個等であってもよい。
【００３５】
(4) 前記取っ手７は、前記環状部２６が省略されて構成されることもある。
【００３６】
(5) 前記容器本体４の形状や前記開放部３の形態は、前記取っ手７を起立状態Ｂとすることによって各計量容器１０に収容した原液を前記容器本体４内に放出させ得る限り、各種に構成できる。
【００３７】
(6) 前記目印１５は、要は識別できる部分であればよく、単なる凸部や凹部等であってもよい。
【００３８】
(7) 前記計量容器１０に対しての前記アーム３５の先端３７の連結部位は、該計量容器１０に原液を収容するに支障のない限り、任意に設定できる。
【００３９】
(8) 本発明に係る希釈用容器１は、液状肥料や液状除草剤、液状農薬等の原液を所定の濃度に希釈するために用いることができる。その場合、該希釈用容器１を、液状肥料用や液状除草剤用、液状農薬用等について色違いとすれば、例えば、液状肥料と液状除草剤を同一の希釈用容器を用いて希釈してしまい、液肥を散布したときに、残留していた除草剤で植物を枯らしてしまう等といった事態を発生させる恐れがない。
【符号の説明】
【００４０】
１  希釈用容器
３  開放部
４  容器本体
５  上端縁部分
６  対向部位
７  取っ手
９  両端部分
１０  計量容器
１１  開口
１２  原液
１４  周壁部
１５  目印
１６  外面
１８  導水管
１９  散水孔
２２  枢着突部
２３  枢着孔部
２６  環状部
２７  外縁部分
２９  内縁部分
３５  アーム
【図１】
0005284427.tif 000002
【図２】
0005284427.tif 000003
【図３】
0005284427.tif 000004
【図４】
0005284427.tif 000005
【図５】
0005284427.tif 000006
【図６】
0005284427.tif 000007
【図７】
0005284427.tif 000008
【図８】
0005284427.tif 000009
【図９】
0005284427.tif 000010
【図１０】
0005284427.tif 000011